(57)【要約】      （修正有）【課題】トナーが定着された記録材を光沢調整装置に搬送する方法を用いると、光沢を発生させないことが要求されている用紙に対しても光沢を発生させてしまう、すなわち、所望の記録媒体に形成された画像にのみ光沢を発生させることができない。【解決手段】記録媒体を搬送する第一の搬送手段２１１と、前記記録媒体を搬送する第一の搬送手段２１１とは異なる第二の搬送手段と、を有し、前記第一の搬送手段２１１は、前記記録媒体に形成された画像に光沢を発生させる光沢発生手段２を有し、搬送制御手段は、前記光沢情報が前記記録媒体に形成された画像に光沢を発生させることを示す場合には前記第一の搬送手段２１１に前記記録媒体を搬送させ、前記光沢情報が前記記録媒体に形成された画像に光沢を発生させないことを示す場合に前記第二の搬送手段に前記記録媒体を搬送させることを特徴とする。【選択図】図３
2013142794.tif 000002
【特許請求の範囲】
【請求項１】
記録媒体に形成された画像に光沢を発生させる画像形成システムであって、
前記記録媒体に形成された画像に光沢を発生させるか否かを示す光沢情報に基づいて、前記記録媒体の搬送を制御する搬送制御手段と、
前記記録媒体を搬送する第一の搬送手段と、
前記記録媒体を搬送する第一の搬送手段とは異なる第二の搬送手段と、を有し、
前記第一の搬送手段は、前記記録媒体に形成された画像に光沢を発生させる光沢発生手段を有し、
前記搬送制御手段は、前記光沢情報が前記記録媒体に形成された画像に光沢を発生させることを示す場合には前記第一の搬送手段に前記記録媒体を搬送し、前記光沢情報が前記記録媒体に形成された画像に光沢を発生させないことを示す場合に前記第二の搬送手段に前記記録媒体を搬送することを特徴とする画像形成システム。
【請求項２】
請求項１に記載の画像形成システムであって、
前記光沢情報を受け付ける光沢情報受付手段を有し、
前記搬送制御手段は、前記光沢情報受付手段によって受け付けられた前記光沢情報に基づいて前記記録媒体の搬送を制御することを特徴とする画像形成システム。
【請求項３】
請求項１に記載の画像形成システムであって、
前記画像を表す情報に基づいて前記光沢情報を生成する光沢情報生成手段を有し、
前記搬送制御手段は、前記光沢情報生成手段で生成された前記光沢情報に基づいて前記記録媒体の搬送を制御することを特徴とする画像形成システム。
【請求項４】
請求項１乃至３のいずれか一項に記載の画像形成システムであって、
前記光沢発生手段は、
前記記録媒体を加熱する加熱手段と、
前記記録媒体と接するベルトと、
前記加熱手段によって加熱された前記記録媒体を、前記記録媒体の画像が形成されている面が前記ベルトと接するように加圧する加圧手段と、
前記加圧手段によって加圧された前記記録媒体を冷却する冷却手段とを有することを特徴とする画像形成システム。
【請求項５】
請求項１乃至４のいずれか一項に記載の画像形成システムであって、
前記光沢発生手段は前記第二の搬送手段より上部に設置されることを特徴とする画像形成システム。
【請求項６】
請求項１乃至５のいずれか一項に記載の画像形成システムであって、
前記画像形成システムは、前記記録媒体が前記光沢発生手段によって光沢を発生する前に前記記録媒体を所定の温度に加熱する予備加熱手段を有することを特徴とする画像形成システム。
【請求項７】
請求項１乃至６のいずれか一項に記載の画像形成システムであって、
前記画像形成システムは、前記記録媒体が前記光沢発生手段によって光沢を発生する前に前記記録媒体のカールを補正するデカール補正手段を有することを特徴とする画像形成システム。
【請求項８】
請求項１乃至７のいずれか一項に記載の画像形成システムであって、
前記第一の搬送手段と前記第二の搬送手段は同じ速度で前記記録媒体を搬送することを特徴とする画像形成システム。
【発明の詳細な説明】
【技術分野】
【０００１】
本発明は、記録媒体に形成された画像に光沢を発生させる画像形成システムに関する。
【背景技術】
【０００２】
従来、写真画像を印刷するときに、その画像の光沢度を高くすることによって、高級感のある鮮やかな色を再現することが求められている。そのために、トナーが定着された記録用紙に対して圧力と熱をかけることにより、記録用紙の表面に定着したトナーを一度溶かし、そして、溶けたトナーにベルト上で圧力を加えてトナー表面部分を平滑化する技術が特許文献１に開示されている。特に、特許文献１には、加熱定着手段によってトナーが溶融された記録用紙を光沢調整手段に搬送し、光沢調整手段が搬送された記録用紙に対して上述のように圧力と熱を加えることにより、記録用紙上の画像に光沢を発生させる定着装置が開示されている。
【発明の概要】
【発明が解決しようとする課題】
【０００３】
しかしながら、近年、画像形成装置によって画像が形成された記録用紙が、人手を介さずに光沢調整装置に搬送されて光沢を発生させる処理が行われるようにするニーズが効率の観点から高まっている。
【０００４】
また、上述した光沢調整装置が光沢を発生させる処理において、画像形成装置から搬送された複数枚の記録用紙のうち一部の記録用紙に形成された画像には光沢を発生させ、その他の記録用紙に形成された画像には光沢を発生させないことが要求される場合がある。たとえば、複数枚の記録用紙のうち、一部の記録用紙には写真を表す画像が形成され、その他の記録用紙には文字を表す画像が形成される場合である。写真を表す画像に対しては美感に訴えるように光沢を発生させることが要求され、文字を表す画像にはユーザが文字を認識しやすいように光沢を発生させないことが要求されている。
【０００５】
このような場合、画像形成装置によって画像が形成された記録用紙が光沢調整手段に搬送され、特許文献１に開示されているような処理が施されると、光沢を発生させないことが要求されている記録用紙に対しても光沢を発生させてしまう、すなわち、所望の記録用紙に形成された画像にのみ光沢を発生させることができないという課題が発生する。
【課題を解決するための手段】
【０００６】
上記の課題を解決するため、請求項１にかかる発明は、記録媒体に形成された画像に光沢を発生させる画像形成システムであって、前記記録媒体に形成された画像に光沢を発生させるか否かを示す光沢情報に基づいて、前記記録媒体の搬送を制御する搬送制御手段と、前記記録媒体を搬送する第一の搬送手段と、前記記録媒体を搬送する第一の搬送手段とは異なる第二の搬送手段と、を有し、前記第一の搬送手段は、前記記録媒体に形成された画像に光沢を発生させる光沢発生手段を有し、前記搬送制御手段は、前記光沢情報が前記記録媒体に形成された画像に光沢を発生させることを示す場合には前記第一の搬送手段に前記記録媒体を搬送し、前記光沢情報が前記記録媒体に形成された画像に光沢を発生させないことを示す場合に前記第二の搬送手段に前記記録媒体を搬送することを特徴とする。
【発明の効果】
【０００７】
本発明によれば、光沢情報が光沢を発生させることを示す場合に光沢発生手段を有する第一の搬送手段が記録媒体を搬送し、光沢情報が光沢を発生させないことを示す場合に第一の搬送手段とは異なる第二の搬送手段に対して前記記録媒体を搬送するため、所望の記録媒体に形成された画像にのみ光沢を発生させることができるという効果を奏する。
【図面の簡単な説明】
【０００８】
【図１】本実施形態の全体構成図である。
【図２】画像形成装置１の構成図である。
【図３】光沢発生装置２の構成図である。
【図４】光沢発生装置２の搬送切替部２１４を詳細に説明するための図である。
【図５】光沢発生装置２のハードウェア構成図である。
【図６】情報処理装置３のハードウェア構成図である。
【図７】画像形成装置１の機能構成図である。
【図８】光沢発生装置２の機能構成図である。
【図９】情報処理装置３の機能構成図である。
【図１０】画像・光沢情報管理テーブルを示す概念図である。
【図１１】光沢情報を入力するためのインターフェースとなる画面３３１の例である。
【図１２】情報処理装置３が実施する処理を示した処理フロー図である。
【図１３】画像形成装置１が実施する処理を示した処理フロー図である。
【図１４】画像処理部５５０が網点面積率を決定する処理を示した処理フロー図である。
【図１５】光沢発生装置２が実施する処理を示した処理フロー図である。
【発明を実施するための形態】
【０００９】
＜＜実施形態の全体構成＞＞
以下、図１乃至図１５を用いて、本発明にかかる画像形成システムの実施の形態を説明する。本実施形態の画像形成システムは、図１に示されるように画像形成装置１、光沢発生装置２、および画像形成装置１から光沢発生装置２へ記録媒体を搬送する搬送ベルト４を有している。また、画像形成装置１は通信ネットワーク等を経由して各種情報を情報処理装置３から受け付ける。
【００１０】
＜実施形態のハードウェア構成＞
本実施形態の画像形成装置１のハードウェア構成、光沢発生装置２のハードウェア構成、情報処理装置３のハードウェア構成を説明する。図１は、画像形成装置１のハードウェア構成図である。図２は、画像形成装置１の制御部１０のハードウェア構成図である。図３は、光沢発生装置２のハードウェア構成図である。図４は、光沢発生装置２の搬送切替部２１４を詳細に説明するための図である。図５は、光沢発生装置２の制御部２０のハードウェア構成図である。図６は、情報処理装置３のハードウェア構成図である。
【００１１】
画像形成装置１は、記録媒体の一例としての用紙にトナー像を付着させることにより画像を形成する。画像形成装置１は、図１に示すように制御部１０、画像読取部１１、作像部１２、給紙部１３、転写部１４、定着部１５、反転部１６、排紙部１７、および表示・操作部１８等を有している。
【００１２】
制御部１０は、図２に示すようにＣＰＵ（Ｃｅｎｔｒａｌ Ｐｒｏｃｅｓｓｉｎｇ Ｕｎｉｔ）１０１１、メインメモリ（ＭＥＭ−Ｐ）１０１２、ノースブリッジ（ＮＢ）１０１３、サウスブリッジ（ＳＢ）１０１４、ＡＧＰ（Ａｃｃｅｌｅｒａｔｅｄ Ｇｒａｐｈｉｃｓ Ｐｏｒｔ）バス１０１５、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）１０１６、ローカルメモリ（ＭＥＭ−Ｃ）１０１７、ＨＤ（Ｈａｒｄ Ｄｉｓｋ）１０１８、ＨＤＤ（Ｈａｒｄ Ｄｉｓｋ Ｄｒｉｖｅ）１０１９、ネットワークＩ／Ｆ１０２を有している。
【００１３】
ＣＰＵ１０１１は、メインメモリ１０１２に記憶されたプログラムに従って、データを加工・演算したり、画像読取部１１、作像部１２、給紙部１３、転写部１４、定着部１５、反転部１６、排紙部１７の動作を制御したりするものである。メインメモリ１０１２は制御部１０の記憶領域であり、ＲＯＭ（Ｒｅａｄ Ｏｎｌｙ Ｍｅｍｏｒｙ）１０１２ａ、ＲＡＭ（Ｒａｎｄｏｍ Ａｃｃｅｓｓ Ｍｅｍｏｒｙ）１０１２ｂを有している。ＲＯＭ１０１２ａは、制御部１０の各機能を実現させるプログラムやデータの格納用メモリである。ＲＯＭ１０１２ａに記憶されているプログラムは、インストール可能な形式又は実行可能な形式のファイルでＣＤ−ＲＯＭ、ＦＤ、ＣＤ−Ｒ、ＤＶＤ等のコンピュータで読み取り可能な記録媒体に記録して提供するように構成してもよい。
【００１４】
ＲＡＭ１０１２ｂは、プログラムやデータの展開、及びメモリ印刷時の描画用メモリなどとして用いる。ＮＢ１０１３は、ＣＰＵ１０１１と、ＭＥＭ−Ｐ１０１２、ＳＢ１０１４、及びＡＧＰバス１０１５とを接続するためのブリッジである。ＳＢ１０１４は、ＮＢ１０１３とＰＣＩデバイス、周辺デバイスとを接続するためのブリッジである。ＡＧＰバス１０１５は、グラフィック処理を高速化するために提案されたグラフィックスアクセラレータカード用のバスインタフェースである。
【００１５】
ＡＳＩＣ１０１６は、ＰＣＩターゲットおよびＡＧＰマスタ、ＡＳＩＣ１０１６の中核をなすアービタ（ＡＲＢ）、ＭＥＭ−Ｃ１０１７を制御するメモリコントローラ、ハードウェアロジックなどにより画像データの回転などを行う複数のＤＭＡＣ（Ｄｉｒｅｃｔ Ｍｅｍｏｒｙ Ａｃｃｅｓｓ Ｃｏｎｔｒｏｌｌｅｒ）からなる。このＡＳＩＣ１０１６は、ＰＣＩバスを介してＵＳＢ（Ｕｎｉｖｅｒｓａｌ Ｓｅｒｉａｌ Ｂｕｓ）のインターフェースや、ＩＥＥＥ１３９４（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ １３９４）のインターフェースに接続されている。
【００１６】
ＭＥＭ−Ｃ１０１７は、コピー用画像バッファ及び符号バッファとして用いるローカルメモリである。ＨＤ１０１８は、画像データの蓄積、印刷時に用いるフォントデータの蓄積、フォームの蓄積を行うためのストレージである。ＨＤＤ１０１９は、ＣＰＵ１０１１の制御にしたがってＨＤ１０１８に対するデータの読み出し又は書き込みを制御する。
【００１７】
ネットワークＩ／Ｆ１０２は、通信ネットワークを介して情報処理装置等の外部機器と情報を送受信する。
【００１８】
〔画像読取部〕
画像読取部１１は、コンタクトガラスに載置されている原稿を光学的に読み取ることにより、画像情報を生成するものである。具体的には、用紙に光を当てて、その反射光をＣＣＤ（Ｃｈａｒｇｅ Ｃｏｕｐｌｅｄ Ｄｅｖｉｃｅｓ）、または、ＣＩＳ（Ｃｏｎｔａｃｔ Ｉｍａｇｅ Ｓｅｎｓｏｒ）等の読取センサで受光することによって画像データを読み取る。なお、画像データとは、用紙等の記録媒体に形成させる画像を表す情報であり、赤（Ｒ）、緑（Ｇ）、青（Ｂ）の各色を示す電気的な色分解画像信号を用いて示されたものである。
【００１９】
〔作像部〕
作像部１２は、画像読取部１１によって読み取られた画像データ、またはネットワークI／Ｆ１０２によって受信された画像データに基づいて転写部１４の中間転写ベルト１４３の表面にトナーを付着させて画像（トナー像）を形成するものである。
【００２０】
作像部１２は、シアン（Ｃ）色のトナーを有する現像剤を用いてトナー像を形成する画像形成ユニット１２０Ｃ、マゼンタ（Ｍ）色のトナーを用いてトナー像を形成する画像形成ユニット１２０Ｍ、イエロー（Ｙ）色のトナーを用いてトナー像を形成する画像形成ユニット１２０Ｙ、およびブラック（Ｋ）色のトナーを用いてトナー像を形成する画像形成ユニット１２０Ｋを備えている。
【００２１】
以降では、画像形成ユニット１２０Ｃ、画像形成ユニット１２０Ｍ、画像形成ユニット１２０Ｙ、画像形成ユニット１２０Ｋのうち任意の画像形成ユニットを「画像形成ユニット１２０」と表す。
【００２２】
画像形成ユニット１２０Ｃは、現像剤収容部１２１Ｃ、感光体ドラム１２２Ｃ、帯電部１２３Ｃ、露光部１２４Ｃ、現像部１２５Ｃ、除電部１２６Ｃ、および清掃部１２７Ｃを備えている。
【００２３】
現像剤収容部１２１Ｃは、Ｃ色のトナーを収容しており、現像部１２５Ｃに対してＣ色のトナーを供給するものである。現像剤収容部１２１Ｃに収容されているトナーは、現像剤収容部１２１Ｃ内の搬送スクリューが駆動することによって所定の量だけ現像部１２５Ｃに供給される。感光体ドラム１２２Ｃは、帯電部１２３Ｃにより表面が一様に帯電され、制御部１０から受け取った画像データに基づき、露光部１２４Ｃによって表面に静電潜像が形成されるものである。また、感光体ドラム１２２Ｃは、静電潜像が形成された表面に、現像部１２５Ｃがトナーを付着させることによってトナー像が形成される。また、感光体ドラム１２２Ｃは、中間転写ベルト１４３に接するように設けられ、中間転写ベルト１４３との接点で中間転写ベルト１４３の移動方向と同じ方向に回転するように設けられている。
【００２４】
帯電部１２３Ｃは、感光体ドラム１２２Ｃの表面を一様に帯電させる。露光部１２４Ｃは、帯電部１２３Ｃによって帯電された感光体ドラム１２２Ｃの表面に、制御部１０によって決定されたＣ色の網点面積率に基づいて光を照射して静電潜像を形成する。現像部１２５Ｃは、露光部１２４Ｃによって感光体ドラム１２２Ｃの表面に形成された静電潜像に対して現像剤収容部１２１Ｃに収容されているＣ色のトナーを付着させることによって現像し、トナー像を形成する。
【００２５】
除電部１２６Ｃは、中間転写ベルト１４３に画像が転写された後の感光体ドラム１２２Ｃの表面を除電する。清掃部１２７Ｃは、除電部１２６    Ｃによって除電された感光体ドラム１２２Ｃの表面に残った転写残トナーを除去する。
【００２６】
画像形成ユニット１２０Ｍ、画像形成ユニット１２０Ｙ、画像形成ユニットＫは画像形成ユニット１２０Ｃと同じ機能を有しているため、ここでの説明を割愛する。なお、画像形成ユニット１２０Ｍ、画像形成ユニット１２０Ｙ、画像形成ユニットＫは、それぞれＭ色トナー、Ｙ色トナー、Ｋ色トナを収容した現像剤収容部１２１Ｃ、１２１Ｍ、１２１Ｙ、１２１Ｋを有していることが画像形成ユニット１２０Ｃと異なっている。
【００２７】
なお、以降では、現像剤収容部１２１Ｃ、現像剤収容部１２１Ｍ、現像剤収容部１２１Ｙ、現像剤収容部１２１Ｋのうち任意の現像剤収容部を「現像剤収容部１２１」と表す。また、感光体ドラム１２２Ｃ、感光体ドラム１２２Ｍ、感光体ドラム１２２Ｙ、感光体ドラム１２２Ｋのうち任意の感光体ドラムを「感光体ドラム１２２」と表す。また、帯電部１２３Ｃ、帯電部１２３Ｍ、帯電部１２３Ｙ、帯電部１２３Ｋのうち任意の帯電部を「帯電部１２３」と表す。また、露光部１２４Ｃ、露光部１２４Ｍ、露光部１２４Ｙ、露光部１２４Ｋのうち任意の露光部を「露光部１２４」と表す。また、現像部１２５Ｃ、現像部１２５Ｍ、現像部１２５Ｙ、現像部１２５Ｋのうち任意の現像部を「現像部１２５」と表す。また、除電部１２６Ｃ、除電部１２６Ｍ、除電部１２６Ｙ、除電部１２６Ｋ、除電部のうち任意の除電部を「除電部１２６」と表す。また、清掃部１２７Ｃ、清掃部１２７Ｍ、清掃部１２７Ｙ、清掃部１２７Ｋのうち任意の清掃部を「清掃部１２７」と表す。
【００２８】
〔給紙部〕
給紙部１３は、転写部１４に対して用紙を供給するものである。給紙部１３は、給紙トレイ１３１、給紙ローラ１３２、給紙経路１３３、およびレジストローラ１３４を備えている。
【００２９】
給紙トレイ１３１は、記録媒体の一例である用紙を収容している。給紙ローラ１３２は、給紙トレイ１３１に収容されている用紙を給紙経路の方へ移動させるために回転するように設けられている。このように設けられている給紙ローラ１３２は、収容されている用紙のうち最上段にある用紙を一枚ずつ取り出し、給紙経路１３３に引き渡す。
【００３０】
給紙経路１３３は、給紙ローラ１３２によって取り出された用紙を転写部１４に搬送する。レジストローラ１３４は、後述する中間転写ベルト１４３のトナー像が形成されている部分が転写部１４に到達されるタイミングで給紙経路１３３によって搬送された用紙を送り出すものである。
【００３１】
〔転写部〕
転写部１４は、作像部１２によって感光体ドラム１２２に形成された画像を中間転写ベルト１４３に転写し（以下、一次転写という）、中間転写ベルト１４３に転写された画像を用紙に転写する（以下、二次転写という）ものである。
【００３２】
転写部１４は、駆動ローラ１４１、従動ローラ１４２、中間転写ベルト１４３、一次転写ローラ１４４Ｃ、１４４Ｍ、１４４Ｙ、１４４Ｋ、二次転写ローラ１４５、二次対向ローラ１４６、テンションローラ１４７を備えている。
【００３３】
駆動ローラ１４１は、従動ローラ１４２とともに中間転写ベルト１４３を掛け渡すものである。駆動ローラ１４１が駆動し回転することによって、掛け渡されている中間転写ベルト１４３が移動する。中間転写ベルト１４３は、駆動ローラ１４１および従動ローラ１４２に掛け渡され、駆動ローラ１４１の回転とともに感光体ドラム１２２に接しながら移動するものである。中間転写ベルト１４３が感光体ドラム１２２に接しながら移動することによって、感光体ドラム１２２に形成された画像が中間転写ベルト１４３の表面に転写される。
【００３４】
一次転写ローラ１４４Ｃ、１４４Ｍ、１４４Ｙ、１４４Ｋは、中間転写ベルト１４３を挟んで、それぞれ感光体ドラム１２２Ｃ、１２２Ｍ、１２２Ｙ、１２２Ｋと対向して備えられ、中間転写ベルト１４３を移動させるように回転する。二次転写ローラ１４５は、二次対向ローラ１４６との間に中間転写ベルト１４３と用紙を挟みこんで回転する。二次対向ローラ１４６は、二次転写ローラ１４５との間に中間転写ベルト１４３と用紙を挟みこんで回転する。テンションローラ１４７は、中間転写ベルト１４３を押すように配置されることによって、中間転写ベルトの張り度合いを調整する。
【００３５】
〔定着部〕
定着部１５は、転写部１４によって用紙に転写されたトナーを定着させる。定着とは、トナーに熱と圧力を同時に加えることによってトナーの樹脂成分を用紙に溶着させることである。転写部１４によって用紙に転写されたトナーに定着処理が行われることによって、用紙上のトナーの状態は安定したものとなる。
【００３６】
定着部１５は、搬送ベルト１５１、定着ベルト１５２、定着ローラ１５３、定着ベルト搬送ローラ１５４、定着対向ローラ１５５、発熱部１５６を有している。
【００３７】
搬送ベルト１５１は、転写部１４によってトナーが転写された用紙を定着ローラ１５３、定着対向ローラ１５５に向けて搬送する。定着ベルト１５２は、定着ローラ１５３と定着ベルト搬送ローラ１５４とに掛け渡され、それらのローラが回転することによって移動する。定着ローラ１５３は、対向して設置されている定着対向ローラ１５５との間で、搬送ベルト１５１に搬送された用紙を挟みこんで、用紙を加熱・加圧する。  
定着ベルト搬送ローラ１５４は、定着ローラ１５３とともに定着ベルト１５２を掛け渡すものであり、定着ベルト搬送ローラ１５４が回転することによって定着ベルト１５２の移動させる。定着対向ローラ１５５は、定着ローラ１５３に対向して設置されるものであり、定着ローラ１５３との間に搬送された用紙を挟みこむ。
【００３８】
発熱部１５６は、定着ローラ１５３の内部に設置され、発熱するものであり、定着ローラ１５３を介して用紙を加熱する。
【００３９】
〔反転部〕
反転部１６は定着部１５によって定着された用紙の面の向きを反転させるものである。反転部１６が有する第一の反転用ローラ１６１は、定着部１５を通過した用紙を第一の反転用ベルト１６２を移動させるものである。第一の反転用ベルト１６２は、第一の反転用ローラ１６１によって移動され、その面に載置された用紙を搬送する。
【００４０】
反転部１６が有する第二の反転用ローラ１６３は、第一の反転用ベルト１６２に対向するように設置されている第二の反転用ベルト１６４を、第一の反転用ベルト１６２が移動する方向と反対の方向に移動させるものである。第二の反転用ベルト１６４は、第二の反転用ローラ１６３によって移動され、その面に載置された用紙を搬送する。なお、反転部１６は、反転手段の一例である。
【００４１】
定着部１５によって処理された用紙は、トナーが定着していない面が第一の反転用ベルト１６２と接するように搬送される。そして、この第一の反転用ベルト１６２を所定の位置で止め、用紙の反対側で接している第二の反転用ベルト１６４が第一の反転用ベルト１６２が移動する方向と反対方向に移動すると、用紙のトナーが定着している面が第二の反転用ベルト１６４に接した状態で搬送されることになる。このようにして反転部１６は用紙の面の向きを反転させる。
【００４２】
〔排紙部〕
排紙部１７は、反転部１６で面の向きが反転された用紙を画像形成装置１から排出するものであり、排紙ベルト１７１、排紙ローラ１７２、および排紙口１７３を有している。
【００４３】
排紙ベルト１７１は、定着部１５によって定着処理された用紙を排紙口１７３に向けて搬送する。排紙ローラ１７２は、排紙ベルト１７１によって搬送された用紙を排紙口１７３から排出する。
【００４４】
〔表示・操作部〕
表示・操作部１８は、パネル表示部１８１および操作部１８２を有している。パネル表示部１８１には設定値や選択画面等が表示される。また、パネル表示部１８１は、操作者からの入力を受け付けるタッチパネル等である。操作部１８２は、画像形成にかかる諸条件を受け付けるテンキー、複写開始指示を受け付けるスタートキー等のユーザが入力をするために操作を行うものである。
【００４５】
＜光沢発生装置のハードウェア構成＞
次に、図３を用いて光沢発生装置２のハードウェア構成を説明する。光沢発生装置２は、用紙を加熱することにより用紙に定着されたトナーを溶融し、その後、表面が平滑なベルト上で溶融されたトナーに圧力をかけて冷却しトナーの表面を平滑化することによって、画像形成装置１によって形成された画像に光沢を発生させる装置である。光沢発生装置２は、グロッサベルト２０１、ローラ２０２、ローラ２０３、ローラ２０４、加圧ローラ２０５、加圧・加熱ローラ２０６、冷却部２０７、予備加熱器２０８、カール補正ローラ２０９、カール補正対向ローラ２１０、通常搬送ベルト２１１、ローラ２１２、ローラ２１３、搬送切替部２１４、排出口２１５、排紙トレイ２１６、および制御部２０を有している。
【００４６】
グロッサベルト２０１は、ローラ２０２、ローラ２０３、ローラ２０４によって掛け渡され循環する無端状のベルトであり、ローラ２０２、ローラ２０３、ローラ２０４が回転することによって移動するものである。グロッサベルト２０１は、加圧ローラ２０５と加圧・加熱ローラ２０６、冷却部２０７の順に（図３の矢印（ア）の方向）用紙を搬送するように移動するものである。
【００４７】
また、グロッサベルト２０１の用紙と接する側の面（表面）は平滑である必要がある。加圧・加熱ローラ２０６によって加熱されることで溶融されたトナーがグロッサベルト２０１に押し当てられ、加圧されることによって、画像に光沢が付与されるためである。また、グロッサベルト２０１のローラ２０２、ローラ２０３、ローラ２０４と接する側の面（裏面）の摩擦係数は所定の値より大きいことが好ましい。グロッサベルト２０１を掛け渡しているローラ２０２、ローラ２０３、ローラ２０４との間に摩擦力が発生することによって、グロッサベルト２０１が滑ってしまうのを防ぐためである。
【００４８】
ローラ２０２、ローラ２０３、ローラ２０４は、グロッサベルト２０１を掛け渡し、それを一方向に循環させるように回転するものである。
【００４９】
加圧ローラ２０５は加圧・加熱ローラ２０６と対向するよう設置され、加圧・加熱ローラ２０６との間にグロッサベルト２０１と用紙を挟み込んで用紙に付着されているトナーを加圧するものである。また、加圧・加熱ローラ２０６は、加圧ローラ２０５と対向するよう設置され、加圧ローラ２０５との間にグロッサベルト２０１と用紙を挟み込むことのよって用紙に付着されているトナーを加熱しながら加圧するものである。これによって、用紙に定着しているトナーの温度が上がり、トナーが溶融する。そして溶融されたトナーは平滑なグロッサベルト２０１に押し当てられることによって、その表面が平滑になる。
【００５０】
冷却部２０７は、加圧・加熱ローラ２０６によって加熱されたトナーを冷却する。これによって、トナーの温度はガラス転移点以下の温度に下がりトナーが硬化し、トナー表面の平滑性が保持される。冷却部２０７を構成する冷却装置は、ファンによる空冷方式、液体ジャケット、ラジエータおよびファンを用いる液冷方式、冷媒、ヒートポンプを用いるヒートポンプ方式のいずれのものでもよい。
【００５１】
なお、上記の加圧ローラ２０５、加圧・加熱ローラ２０６、冷却部２０７を含むものを光沢発生部という。また、光沢発生部は光沢発生手段の一例である。また、加圧ローラ２０５および加圧・加熱ローラ２０６は加圧手段の一例であり、加圧・加熱ローラ２０６は加熱手段の一例であり、冷却部２０７は冷却手段の一例である。
【００５２】
予備加熱器２０８は、用紙が加圧ローラ２０５および加圧・加熱ローラ２０６に到達し光沢発生処理を施される前に、あらかじめ用紙の温度を一定に保つために用紙を加熱するものである。用紙の温度が一定でない場合、その用紙に付着しているトナーの温度は一定でなく、同じ用紙内の部分ごとにトナーの溶融している度合いが異なってしまう。そのような用紙に対して光沢発生処理を施した場合、画像に光沢ムラが発生してしまう。したがって、予備加熱器２０８によって光沢発生処理を行う前に用紙の温度を一定にしておくことが求められる。なお、予備加熱器２０８は予備加熱手段の一例である。
【００５３】
カール補正ローラ２０９は、用紙が加圧ローラ２０５および加圧・加熱ローラ２０６に到達し光沢発生処理を施される前に、用紙がカールした状態を平坦な状態に補正するものである。カール補正ローラ２０９はカール補正対向ローラ２１０との間に用紙を挟みこんで圧力をかけることによってその形状を平坦なものにする。このようにカール補正ローラ２０９が用紙を平坦な状態にしておくことによって光沢発生処理によって発生する光沢にムラが生じてしまうのを減少させることができる。なお、用紙がカールした状態になっているのは画像形成装置１の給紙部１３、定着部１５がそれぞれローラを用いて給紙処理、定着処理を行ったり、画像形成装置１内で湾曲した搬送経路を通過したりするためである。なお、カール補正ローラ２０９およびカール補正対向ローラ２１０はデカール補正手段の一例である。
【００５４】
通常搬送ベルト２１１は、ローラ２１２、ローラ２１３によって掛け渡され循環する無端状のベルトであり、ローラ２１２、ローラ２１３が回転することによって移動する。また、通常搬送ベルト２１１は、移動することによってその表面に載置された用紙を排出口２１５の方向（図３の矢印（イ）の方向）へ搬送する。また、通常搬送ベルト２１１は、上述の加圧・加熱ローラ２０６、冷却部２０７等を含む光沢発生部を有していず、単に用紙を搬送するものである。なお、通常搬送ベルトは第一の搬送手段の一例である。ローラ２１２、ローラ２１３は、グロッサベルト２０１を掛け渡し、それを一方向に循環させるように回転するものである。
【００５５】
搬送切替部２１４は、挿入口２００から挿入された用紙をグロッサベルト２０１の方へ送り出す、もしくは通常搬送ベルト２１１の方へ送り出すためのものである。搬送切替部２１４は搬送制御部２３２によって制御され動作するものであり、搬送制御部２３２の制御によって、図４（１）に示されるように搬送ベルト４とグロッサベルト２０１の間に経路を作るように、あるいは図４（２）に示されるように搬送ベルト４と通常搬送ベルト２１１に経路を作るように、その位置が切り替わる。したがって、搬送切替部２１４が図４（１）の位置にあるときには用紙はグロッサベルト２０１の方へ送り出されることになる。また、搬送切替部２１４が図４（２）の位置にあるときには用紙は通常搬送ベルト２１１の方へ送り出されることになる。
【００５６】
排出口２１５は、光沢発生処理を施されながらグロッサベルト２０１によって搬送された用紙、および通常搬送ベルト２１１によって搬送された用紙が光沢発生装置２の外側へ排出されるための口である。排紙トレイ２１６は、排出口２１５から排出された用紙を収容するものである。
【００５７】
光沢発生装置２の制御部２０は、図５に示されるように光沢発生装置２全体の動作を制御するＣＰＵ２２１、情報処理プログラムを記憶したＲＯＭ２２２、ＣＰＵ２２１のワークエリアとして使用されるＲＡＭ２２３、各種データを記憶するＨＤ（Ｈａｒｄ Ｄｉｓｋ）２２４、ＣＰＵ２２１の制御にしたがってＨＤ２２４に対する各種データの読み出し又は書き込みを制御するＨＤＤ（Ｈａｒｄ Ｄｉｓｋ Ｄｒｉｖｅ）２２５、通信ネットワークを利用してデータ伝送をするためのネットワークＩ／Ｆ２２６、および、上記各構成要素を電気的に接続するためのアドレスバスやデータバス等のバスライン２２７を備えている。また、ＲＯＭ２２２には、光沢発生装置２を制御するための光沢発生プログラムが記録されている。
【００５８】
＜画像形成装置から光沢発生装置へ用紙を搬送するベルト＞
本実施形態では画像形成装置１で排出された用紙は、搬送され光沢発生装置２へ挿入される。このために、図１および図３に示されるように搬送ベルト４が画像形成装置１の排紙口１７３から光沢発生装置２の挿入口２００にかけて設置される。搬送ベルト４は画像形成装置１の排紙口１７３より排出された用紙を受け取り、用紙が載置された状態で光沢発生装置２の方向へ移動する。そして、光沢発生装置２の挿入口２００へ用紙の先端が到達すると、用紙は挿入口２００から光沢発生装置２に挿入される。
【００５９】
＜情報処理装置のハードウェア構成＞
続いて、図６を用いて情報処理装置３のハードウェア構成を説明する。
【００６０】
情報処理装置３は、情報処理装置３全体の動作を制御するＣＰＵ３０１、情報処理プログラムを記憶したＲＯＭ３０２、ＣＰＵ３０１のワークエリアとして使用されるＲＡＭ３０３、各種データを記憶するＨＤ（Ｈａｒｄ Ｄｉｓｋ）３０４、ＣＰＵ３０１の制御にしたがってＨＤ３０４に対する各種データの読み出し又は書き込みを制御するＨＤＤ（Ｈａｒｄ Ｄｉｓｋ Ｄｒｉｖｅ）３０５、フラッシュメモリ等の記憶メディア３０６に対するデータの読み出し又は書き込み（記憶）を制御するメディアドライブ３０７、カーソル、メニュー、ウィンドウ、文字、画像などの各種情報をディスプレイに表示させるためのディスプレイＩ／Ｆ（Ｉｎｔｅｒｆａｃｅ）３０８、通信ネットワークを利用してデータ伝送をするためのネットワークＩ／Ｆ３０９、文字、数値、各種指示などの入力のための複数のキーを備えたキーボードを制御するためのキーボードＩ／Ｆ３１０、各種指示の選択や実行、処理対象の選択、カーソルの移動などを行うマウスを制御するためのマウスＩ／Ｆ３１１、着脱可能な記憶媒体の一例としてのＣＤ−ＲＯＭ(Ｃｏｍｐａｃｔ Ｄｉｓｃ Ｒｅａｄ Ｏｎｌｙ Ｍｅｍｏｒｙ)３１２に対するデータの読み出し又は書き込みを制御するＣＤ−ＲＯＭドライブ３１３、及び、上記各構成要素を図６に示されているように電気的に接続するためのアドレスバスやデータバス等のバスライン３１４を備えている。
【００６１】
なお、上記情報処理プログラムは、インストール可能な形式又は実行可能な形式のファイルで、上記記憶メディア３０６やＣＤ−ＲＯＭ３１３等のコンピュータで読み取り可能な記憶媒体に記録して流通させるようにしてもよい。
【００６２】
＜＜実施形態の機能構成＞＞
続いて本実施形態における画像形成装置１、光沢発生装置２、情報処理装置３の機能構成について図７乃至図１１を用いて説明する。図７は、画像形成装置１の機能構成図である。図８は、光沢発生装置２の機能構成図である。図９は、情報処理装置３の機能構成図である。図１０は、画像・光沢情報管理テーブルを示す概念図である。図１１は、光沢情報を入力するためのインターフェースとなる画面３３１の例である。
【００６３】
＜画像形成装置の機能構成＞
本実施形態における画像形成装置１の機能構成について図７を用いて説明する。画像形成装置１は、制御部５１０、送受信部５２０、入力受付部５３０、読取画像受付部５４０、画像処理部５５０、記憶・読出処理部５６０、記憶部５７０を備えている。
【００６４】
制御部５１０は、図２に示すようなＣＰＵ１０１１、ＲＯＭ１０１２ａ、ＲＡＭ１０１２ｂを備えた演算装置であり、ＣＰＵ１１０１がＲＯＭ１０１２ａに記憶されたプログラムを実行することによって画像形成装置１の各部の動作を制御する。送受信部５２０、入力受付部５３０、読取画像受付部５４０、画像処理部５５０、記憶・読出処理部５６０、記憶部５７０を有している。これら各部は、図２に示されている構成要素のいずれかがＲＯＭ１０１２ａに記憶されているプログラムに従ったＣＰＵ１０１１からの命令によって動作することで実現される機能又は手段である。また、制御部５１０は、図２に示されているＲＯＭ１０１２ａ、またはＨＤ１０１８によって構築される記憶部５７０を有している。
【００６５】
送受信部５２０は、図２に示されているネットワークＩ／Ｆ１０２によって実現され、通信ネットワークを介して情報処理装置３と画像情報等の各種情報を送受信する。画像情報とは、用紙等の記録媒体に形成させる画像を表す情報であり、赤（Ｒ）、緑（Ｇ）、青（Ｂ）の各色を示す電気的な色分解画像信号を用いて示されたものである。また、送受信部５２０は通信ネットワークを介して光沢発生装置２と各種情報を送受信する。
【００６６】
入力受付部５３０は、図１に示されている表示・操作部１８からユーザによって入力された各種情報を受け付ける。読取画像受付部５４０は、画像読取部１１が用紙に記載されている画像を光学的に読み取ることにより生成した画像情報を受け付ける。
【００６７】
画像処理部５５０は、入力受付部５３０によって受け付けられた各種情報、送受信部５２０によって受信された画像情報等に基づいて、画素ごとにＣ色、Ｍ色、Ｙ色、Ｋ色のトナーが形成する網点の網点面積率Ｒｃ、Ｒｍ、Ｒｙ、Ｒｋで表される画像形成情報を生成する。画像処理部５５０は、画像情報変換部５５１、下色除去処理部５５２を有している。
【００６８】
画像情報変換部５５１は、送受信部５２０によって受信された画像情報、読取画像受付部５４０によって受け付けられた画像情報を、色空間変換処理することによってＣ色、Ｍ色、Ｙ色の各トナーによって形成される網点の網点面積率Ｒｃ、Ｒｍ、Ｒｙに変換する。なお、画像情報変換部５５１は色空間変換処理のほかにシェーディング補正、位置ズレ補正、色空間の変換、ガンマ補正等を行ってもよい。なお、網点面積率とは、用紙上の一画素をなす面積のうち各色のトナーによって網点が形成される面積の割合である。
【００６９】
下色除去処理部５５２は、画像情報変換部５５１によって変換された網点面積率Ｒｃ０、Ｒｍ０、Ｒｙ０に対して下色除去の処理を行ってＣ色、Ｍ色、Ｙ色、およびＫ色の各トナーの網点面積率Ｒｃ、Ｒｍ、Ｒｙ、Ｒｋで表される画像形成情報に変換する。カラー画像では、Ｃ色、Ｍ色、Ｙ色の各トナーを用いて色が再現されるが、Ｃ色、Ｍ色、Ｙ色が重なることによって形成される黒色をＫ色のトナーを付着させることによって再現させることができる。このように、Ｃ色、Ｍ色、Ｙ色の３種類のトナーの網点面積率Ｒｃ０、Ｒｍ０、Ｒｙ０を、Ｃ色、Ｍ色、Ｙ色、およびＫ色の４種類のトナーの網点面積率Ｒｃ１、Ｒｍ１、Ｒｙ１、Ｒｋ１に変換することを下色除去変換という。
【００７０】
記憶・読出処理部５６０は、記憶部５７０に対して各種情報を記憶したり、記憶部５７０に記憶されている各種情報を読み出したりする。
【００７１】
＜光沢発生装置の機能構成＞
次に、図８を用いて光沢発生装置２の制御部の機能構成を説明する。図８に示されるように、光沢発生装置２は、送受信部２３１、搬送制御部２３２、光沢発生制御部２３３を有している。光沢発生制御部２３３は、加熱制御部２３３１および冷却制御部２３３２を有している。送受信部２３１、搬送制御部２３２、光沢発生制御部２３３は、図５に示されるＲＯＭ２２２に記憶されているプログラムに従ったＣＰＵ２２１からの命令によって動作することで実現される機能又は手段である。
【００７２】
送受信部２３１は、図５に示されているネットワークＩ／Ｆ２２６によって実現され、通信ネットワークを介して光沢情報等の各種情報を受け付ける。なお、送受信部２３１は光沢情報受付手段の一例である。
【００７３】
搬送制御部２３２はローラ２０２、ローラ２０３、ローラ２０４、ローラ２１２、ローラ２１３を制御して回転させる。これによって、ローラ２０２、ローラ２０３、ローラ２０４に掛け渡されているグロッサベルト２０１は循環するように移動し、グロッサベルト２０１の表面に接している用紙を搬送する。また、ローラ２１２、ローラ２１３に掛け渡されている通常搬送ベルト２１１は循環するように移動し、通常搬送ベルト２１１の表面に接している用紙を搬送する。また、搬送制御部２３２は、搬送切替部２１４を制御するものである。なお、搬送制御部２３２は搬送制御手段の一例である。
【００７４】
光沢発生制御部２３３はグロッサベルト２０１によって搬送されている用紙に形成されている画像に光沢を発生させるように、加圧・加熱ローラ２０６、冷却部２０７、予備加熱器２０８等を制御するものである。加熱制御部２３３１は、加圧・加熱ローラ２０６、予備加熱器２０８の内部に備えられている加熱器を制御することによって、それぞれ加圧・加熱ローラ２０６、予備加熱器２０８を加熱するものである。冷却制御部２３３２は冷却部２０７を冷却するよう制御するものである。
【００７５】
＜情報処理装置の機能構成＞
次に、図９を用いて情報処理装置３の機能構成を説明する。図９に示されるように、情報処理装置３の制御部３０は、送信部３２１、表示制御部３２２、操作入力受付部３２３、記憶・読出処理部３２９、および画像・光沢情報記憶部３０００を有している。送信部３２１、表示制御部３２２、操作入力受付部３２３、および記憶・読出処理部３２９、は、図６に示されているＲＯＭ３０２に記憶されているプログラムに従ったＣＰＵ３０１からの命令によって動作することで実現される機能又は手段である。画像・光沢情報記憶部３０００は、図６に示されるＨＤ３０４等により構築されている。
【００７６】
画像・光沢情報記憶部３０００は、用紙に形成する画像を表す画像データおよび画像データを一意に識別する画像識別情報を含む画像情報を記憶しているものである。また、画像・光沢情報記憶部３０００は操作入力受付部３２３によって受け付けられた光沢情報を各画像に対応付けて記憶するものである。なお、光沢情報とは、画像データに基づいて用紙に形成される画像に光沢を生成するか否かを表す情報である。
【００７７】
画像・光沢情報記憶部３０００には、図１０に示されているような画像・光沢情報管理テーブルによって構成されている画像情報管理ＤＢが構築されている。通常、画像形成処理はユーザが作成しているファイル単位ごとに行われることが多い。ファイルとは、例えば文書作成用ソフトウェア、プレゼンテーション資料作成用ソフトウェア等のアプリケーションによって作成される文書の単位であり、ファイルの中に１以上のページが含まれている。画像形成装置１は1ファイルの１ページごとに１枚の用紙に対して画像を形成する。
【００７８】
この画像・光沢情報管理テーブルでは、ファイルを一意に識別するためのＩＤであるファイルＩＤ、ファイルの名称であるファイル名、ファイル内のページを表す番号をページＮｏ、ページに含まれる画像に光沢を発生させるか否かを表す光沢フラグ、そして画像を表す画像情報が関連付けて管理されている。例えば、図１０に示されている画像・光沢情報管理テーブルでは、ファイルＩＤが「００１」、ページＮｏが「１」、光沢フラグが「ＯＮ」、画像データが「０００１１．ｊｐｇ」であることが示されている。なお、ここで示される例では、ファイルＩＤ、ページＮｏを含む情報を画像識別情報といい、ファイルＩＤ、ページＮｏ、画像データを含む情報を画像情報という。また、ファイルＩＤ、ページＮｏ、光沢フラグを含む情報を光沢情報という。また、光沢フラグが「ＯＮ」である画像は光沢が発生される光沢画像であり、光沢フラグが「ＯＦＦ」画像は光沢が発生されない非光沢画像である。
【００７９】
送信部３２１は、図６に示されているネットワークＩ／Ｆ３０９によって実現され、通信ネットワークを介して画像形成装置１に各種情報を送信するものである。表示制御部３２２は、図６に示されているディスプレイＩ／Ｆ３０８によって実現され、表示装置３３０に各種情報を表示させるための制御を行う。操作入力受付部３２３は、図６に示されているキーボードＩ／Ｆ３１０、マウスＩ／Ｆ３１１によって実現され、ユーザがマウス、キーボード等を操作することによって入力する各種情報を受け付ける。記憶・読出処理部３２９は、図６に示されているＨＤＤ３０５によって実行され、画像・光沢情報記憶部３０００に各種情報を記憶したり、画像・光沢情報記憶部３０００に記憶された各種情報を読み出したりする処理を行う。
【００８０】
ここで、ユーザが操作することによって入力するために、表示制御部３２２が表示装置３３０に表示させる画面３３１の例について図１１を用いて説明する。画面３３１は表示・選択部３３２、画像表示部３３３ａ、３３３ｂ、３３３ｃ、３３３ｄ、３３３ｅ、光沢ボタン３３４等から構成されている。なお、画像表示部３３３ａ、３３３ｂ、３３３ｃ、３３３ｄ、３３３ｅのうち任意の画像表示部を画像表示部３３３という。また、図１１に示す例ではひとつのファイルに５ページの画像が含まれている例を示しているが、６ページ以上の画像が含まれる場合には、画像表示部３３３ｆ、３３３ｇ、・・・のように、表示制御部３２２はページ数の数の画像表示部３３３に各ページの画像を表示させるものとする。
【００８１】
表示・選択部３３２には、表示制御部３２２が画像・光沢情報記憶部３０００に記憶されている画像情報が表す画像が表示される。具体的には、表示・選択部３３２内の画像表示部３３３にひとつずつ画像が表示される。図１０および図１１に示す例では、ファイル名「○×販売促進資料」に含まれる全てのページの画像がそれぞれ画像表示部３３３ａ、３３３ｂ、３３３ｃ、３３３ｄ、３３３ｅにページごとに表示されている。つまり、画像表示部３３３ａにはファイルＩＤ「００１」、ページＮｏ「１」の画像が表示され、画像表示部３３３ｂにはファイルＩＤ「００１」、ページＮｏ「２」の画像が表示され、画像表示部３３３ｃにはファイルＩＤ「００１」、ページＮｏ「３」の画像が表示され、画像表示部３３３ｄにはファイルＩＤ「００１」、ページＮｏ「４」の画像が表示され、画像表示部３３３ｅにはファイルＩＤ「００１」、ページＮｏ「５」の画像が表示されている。なお、本実施形態では、これらのページごとに表される画像が１枚の用紙に形成されるものとする。
【００８２】
また、表示・選択部３３２に表示されている画像内の領域をユーザがマウス等を用いて選択する。図１１に示す例では、用紙内の点線で示されている画像表示部３３３ａ、３３３ｃ、３３３ｄに表示されている写真画像がユーザによって選択されている。光沢ボタン３３４は、ユーザが表示・選択部３３２で画像を選択した状態で押すことによって選択されている画像が光沢画像とされるためのものである。また、このときユーザによって選択されていない画像は非光沢画像であるとされる。
【００８３】
図１１に示す例では、ユーザによって光沢ボタン３３４が押されることによって、画像表示部３３３ａに表示されているファイルＩＤ「００１」、ページＮｏ「１」の画像、３３３ｃに表示されているファイルＩＤ「００１」、ページＮｏ「３」の画像、３３３ｄに表示されているファイルＩＤ「００１」、ページＮｏ「４」の画像が光沢画像であるとされる。また、画像表示部３３３ｂに表示されているファイルＩＤ「００１」、ページＮｏ「２」の画像、３３３ｅに表示されているファイルＩＤ「００１」、ページＮｏ「５」の画像が非光沢画像であるとされる。そして、操作入力受付部３２３はこれらの情報を受け付ける。
【００８４】
記憶・読出処理部３２９は図６に示すＨＤＤ３０５によって実行され、画像・光沢情報記憶部３０００に各種データを記憶したり、画像・光沢情報記憶部３０００に記憶された各種データを読み出したりする処理を行うものである。記憶・読出処理部３２９は操作入力受付部３２３によって受け付けられた情報に基づいて、光沢画像に対応する画像・光沢情報管理テーブルの光沢フラグを「ＯＮ」と記憶する。また、記憶・読出処理部３２９は操作入力受付部３２３によって非光沢画像に対応する画像・光沢情報管理テーブルの光沢フラグを「ＯＦＦ」と記憶する。
【００８５】
＜＜本実施形態の処理・動作＞＞
図１２乃至図１５を用いて、本実施形態に係る画像形成および光沢発生にかかる処理を説明する。図１２は、情報処理装置３が実施する処理を示した処理フロー図である。図１３は、画像形成装置１が実施する処理を示した処理フロー図である。図１４は、画像処理部５５０が網点面積率を決定する処理を示した処理フロー図である。図１５は、光沢発生装置２が実施する処理を示した処理フロー図である。
【００８６】
＜情報処理装置が実施する処理＞
まず、図１２に示されるように、情報処理装置３の表示制御部３２２が画像・光沢情報記憶部３０００に記憶されている画像情報に基づいて、表示装置３３０の画面３３１（図１１参照）の表示・選択部３３２の画像表示部３３３に画像を表示させる（ステップＳ１１）。そして、画像表示部３３３に表示された画像のうちユーザが光沢を発生させたい画像を選択し光沢ボタン３３４を押すと、操作入力受付部３２３がユーザよって光沢ボタンを押されたときに選択されている画像を光沢画像とし、選択されていない画像を非光沢画像として表す情報を受け付ける（ステップＳ１２）。
【００８７】
図１０および図１１に示す例を用いて説明すると、光沢ボタン３３４がユーザによって押されることによって、画像表示部３３３ａ、３３３ｃ、３３３ｄに表示されている画像が光沢画像であり、画像表示部３３３ｂ、３３３ｅに表示されている画像が光沢を発生させない非光沢画像であるとされる。すなわち、画像表示部３３３ａに表示されているファイルＩＤ「００１」、ページＮｏ「１」の画像、画像表示部３３３ｃに表示されているファイルＩＤ「００１」、ページＮｏ「３」の画像、画像表示部３３３ｄに表示されているファイルＩＤ「００１」、ページＮｏ「４」の画像が光沢画像であるとされる。また、画像表示部３３３ｂに表示されているファイルＩＤ「００１」、ページＮｏ「２」の画像、３３３ｅに表示されているファイルＩＤ「００１」、ページＮｏ「５」の画像が非光沢画像であるとされる。そして、これらの情報を操作入力受付部３２３が受け付ける。
【００８８】
ステップＳ１２で操作入力受付部３２３がファイルＩＤ、ページＮｏを含む画像識別情報と対応する画像が光沢画像か非光沢画像であるかを表す情報を受け付けると、記憶・読出処理部３２９が受け付けた情報に基づいて画像・光沢情報記憶部３０００の画像・光沢情報管理テーブルに光沢フラグを記憶させる（ステップＳ１３）。具体的には、記憶・読出処理部３２９は、光沢を光沢画像に対応する光沢フラグを「ＯＮ」として画像・光沢情報記憶部３０００に記憶させ、非光沢画像に対応する光沢フラグを「ＯＦＦ」として画像・光沢情報記憶部３０００に記憶させる。
【００８９】
図１０および図１１に示す例を用いて説明すると、記憶・読出処理部３２９は、ファイルＩＤ「００１」、ページＮｏ「１」の画像、ファイルＩＤ「００１」、ページＮｏ「３」の画像、ファイルＩＤ「００１」、ページＮｏ「４」に対応する光沢フラグを「ＯＮ」として画像・光沢情報記憶部３０００の画像・光沢情報管理テーブルに記憶する。また、記憶・読出処理部３２９は、ファイルＩＤ「００１」、ページＮｏ「２」の画像、ファイルＩＤ「００１」、ページＮｏ「５」に対応する光沢フラグを「ＯＦＦ」として画像・光沢情報記憶部３０００の画像・光沢情報管理テーブルに記憶する。
【００９０】
続いて、情報処理装置３の送信部３２１はファイルＩＤ、ページＮｏ、画像データを含む画像情報とそれに対応している光沢フラグを含む光沢情報を画像形成装置１に対して送信する（ステップＳ１４）。
【００９１】
＜画像形成装置が実施する処理＞
〔画像・光沢情報受信処理〕
情報処理装置３の送信部３２１が、画像情報を画像形成装置１に対して送信すると、図１３に示されるように、画像形成装置１の送受信部５２０が、ネットワーク経由で送信された画像情報、および光沢情報を受信する（ステップＳ２１）。
【００９２】
〔網点面積率決定処理〕
送受信部５２０が画像情報、光沢情報を受信すると、受信された画像情報に基づいて、画像処理部５５０がＣ色、Ｍ色、Ｙ色、Ｋ色の有色トナー、およびクリアトナーによって形成される網点の網点面積率Ｒｃ、Ｒｍ、Ｒｙ、Ｒｋを画像形成情報として決定する（ステップＳ２２）。
【００９３】
ここで、画像処理部５５０が画像情報に基づいて網点面積率を決定する処理の詳細について図１４を用いて説明する。まず、画像情報変換部５５１が、赤（Ｒ）、緑（Ｇ）、青（Ｂ）の各色を示す電気的な色分解画像信号を用いて示された画像情報を色空間変換処理によって、Ｃ色、Ｍ色、Ｙ色のトナーによって形成される網点の網点面積率Ｒｃ０、Ｒｍ０、Ｒｙ０に変換する（ステップＳ２２１）。なお、画像情報変換部５５１は、画像情報に色変換処理のほか、色補正処理、空間周波数補正処理等の公知の画像処理を実行してもよい。
【００９４】
次に、下色除去処理部５５２が、画像情報変換部５５１によって変換された網点面積率Ｒｃ０、Ｒｍ０、Ｒｙ０に下色除去処理を実行することによって、Ｃ色、Ｍ色、Ｙ色、Ｋ色のトナーによって形成される網点面積率Ｒｃ、Ｒｍ、Ｒｙ、Ｒｋに変換する（ステップＳ２２２）。このようにして、画像形成情報が決定される。
【００９５】
〔給紙処理〕
図１３に戻って以降の処理について説明する。上述のように画像形成情報が決定されると、給紙部１３が給紙処理を行う（ステップＳ２３）。具体的には、給紙部１３の給紙ローラ１３２が給紙トレイ１３１に収容されている用紙を１枚ずつ取り出し、給紙経路１３３に載置する。給紙経路１３３は、移動することによって載置された用紙を転写部１４の方向へ搬送する。搬送された用紙がレジストローラ１３４まで到達すると、中間転写ベルト１４３に形成されたトナー像が転写部１４に到達するまでレジストローラ１３４が用紙を挟み込んで待機させる。そして、中間転写ベルト１４３に形成されたトナー像に達するタイミングで、レジストローラ１３４は二次転写ローラ１４５と二次対向ローラ１４６の間に用紙を送り込む。
【００９６】
〔作像処理〕
一方、作像部１２の各画像形成ユニット１２０は、制御部１０の画像処理部５５０によって決定された網点面積率Ｒｃ、Ｒｍ、Ｒｙ、Ｒｋに基づいて、感光体ドラム１２２に各トナーを付着させることによって画像を形成する作像処理を行う（ステップＳ２４）。
【００９７】
具体的には、まず、帯電部１２３Ｃが、回転する感光体ドラム１２２Ｃの表面を一様に帯電させる。そして、露光部１２４Ｃが、帯電部１２３Ｃによって帯電された感光体ドラム１２２Ｃの表面に、画素ごとに画像処理部５５０によって決定された網点面積率Ｒｃ’に基づいてレーザ光を照射する。これによって、感光体ドラム１２２Ｃの表面には静電荷が各網点面積率の画素で構成される画像の静電潜像が形成される。
【００９８】
感光体ドラム１２２Ｃの表面に静電潜像が形成されると、現像部１２５Ｃは現像剤収容部１２１Ｃに収容されているトナーを供給することによって帯電部１２３Ｃおよび露光部１２４Ｃによって形成された静電潜像を現像する。このようにしてＣ色のトナー像が作像される。
【００９９】
同様にして、感光体ドラム１２２Ｍ、１２２Ｙ、１２２Ｋの表面にそれぞれＭ色トナー、Ｙ色トナー、Ｋ色トナー、クリアトナーによってトナー像が作像される。これらの処理は感光体ドラム１２２Ｃの表面にＣ色のトナー像が作像されるための処理と同様であるため説明を省略する。
【０１００】
〔転写処理〕
以上のように各感光体ドラム１２２の表面に各色のトナー像が作像されると、転写部１４が転写処理を行う（ステップＳ２５）。
【０１０１】
具体的には、まず、一次転写ローラ１４４が中間転写ベルト１４３に一次転写バイアスをかける。すると、中間転写ベルト１４３に各感光体ドラム１２２の表面のトナー像が転写される（一次転写）。なお、一次転写バイアスとは、感光体ドラム１２２の表面に帯電されている静電荷とは逆の電荷である。
【０１０２】
次に、トナー像が転写された中間転写ベルト１４３は、駆動ローラ１４１および従動ローラ１４２が回転することによって、二次転写ローラ１４５の方向へ移動する。中間転写ベルト１４３のトナー像が転写された部分が二次転写ローラ１４５に到達するタイミングで、給紙部１３によって給紙されレジストローラ１３４が待機させている用紙を送り出す。レジストローラ１３４によって用紙が送り出されると、駆動ローラ１４１、従動ローラ１４２によって回転している二次転写ローラ１４５が、二次対向ローラとの間で用紙と中間転写ベルト１４３を挟み込み、二次転写バイアスをかける。すると、中間転写ベルト１４３の表面に形成されているトナー像が用紙に転写される（二次転写）。なお、二次転写バイアスとは、中間転写ベルト１４３の表面に帯電されている静電荷とは逆の電荷である。
【０１０３】
〔定着処理〕
このように、用紙にトナー像が転写されると、定着部１５が定着処理を行う（ステップＳ２６）。具体的には、定着部１５の搬送ベルト１５１が、トナー像が転写された用紙を定着ローラ１５３の方向へ搬送する。搬送された用紙が定着ローラ１５３と定着ベルト１５２とが接する位置に到達すると、定着ローラ１５３は定着対向ローラ１５５との間に用紙を挟み込む。このとき、定着ローラ１５３は発熱部１５６によって加熱されているので、用紙は加圧されるのと同時に所定の定着温度で加熱される。用紙上のトナー像を形成しているトナーは加熱されることによって溶融するので、その状態で定着ローラ１５３と定着対向ローラ１５５で溶融されたトナーを加圧するとトナーの樹脂成分が用紙に溶着する。このように定着処理を行うことで、転写後、不安定であった用紙上のトナーが安定することになる。
【０１０４】
〔反転処理〕
定着部１５によって用紙に画像が定着されると、反転部１６は用紙の面の向きを反転させる（ステップＳ２７）。具体的には、第一の反転用ローラ１６１が第一の反転用ベルト１６２を移動することによって、第一の反転用ベルト１６２に用紙の非記録面が接するようにを搬送する。図１に示されるように第一の反転用ベルト１６２と第二の反転用ベルト１６４はそれらの面が対向するように設置されているので、用紙は第一の反転用ベルト１６２によって搬送されることによって、第一の反転用ベルト１６２に接していない記録面が第二の反転用ベルト１６４に接するようになる。このような状態で第一の反転用ベルト１６２を止め、第二の反転用ローラ１６３が第一の反転用ベルト１６２と反対方向に第二の反転用ベルト１６４を移動させる。すると、用紙は第二の反転用ベルト１６４に記録面が接した状態で搬送される。このように反転部１６によって反転されることにより、用紙は排紙部１７によって排紙されるときには記録面が排紙ベルト１７１と接している状態となる。
【０１０５】
〔排紙処理〕
ステップＳ２７で反転部１６が用紙の面の向きを反転させると、排紙部１７が排紙処理を行う（ステップＳ２８）。具体的には、排紙部１７の排紙ベルト１７１が用紙を排紙口１７３の方向に搬送し、搬送された用紙は排紙口１７３から排出される。
【０１０６】
〔光沢情報送信処理〕
また、画像形成装置１の送受信部５２０が情報処理装置３から画像情報および光沢情報を受信すると、送受信部５２０は光沢情報を光沢発生装置２に対してネットワーク等を経由して送信する。
【０１０７】
＜搬送ベルトが実施する処理＞
ステップＳ２７で、画像形成装置１の排紙口１７３から排出された用紙は搬送ベルト４に載置される。そして、搬送ベルト４は用紙を載置した状態で光沢発生装置２の方向へ移動することによって、用紙を光沢発生装置２の方向へ搬送する。そして、光沢発生装置２の挿入口２００に搬送された用紙の先端が到達すると、用紙は挿入口２００から光沢発生装置２に挿入される。
【０１０８】
＜光沢発生装置が実施する処理＞
用紙が光沢発生装置２に挿入されると、光沢発生装置２が用紙に定着されたトナーを加熱・加圧することによって光沢を発生させる処理を行う。この処理の詳細について図１５を用いて説明する。
【０１０９】
〔搬送処理〕
前述のように画像形成装置１の排紙口１７３から排出された用紙は、光沢発生装置２の挿入口２００へ挿入されることによって、光沢発生装置２は用紙を受け付ける（ステップＳ３１）。
【０１１０】
一方、制御部２０の送受信部２３１は、画像形成装置１から送信された光沢情報を受信する（ステップＳ３２）。具体的には、送受信部２３１は光沢情報に含まれるファイルＩＤ、ページＮｏ、光沢フラグを受信する。そして、搬送制御部２３２は、受信された用紙のファイルＩＤ、ページＮｏに対応する光沢フラグが「ＯＮ」であるか「ＯＦＦ」であるかを判定する（ステップＳ３３）。
【０１１１】
ステップＳ３３で光沢フラグが「ＯＮ」であると判定されると、搬送制御部２３２は搬送切替部２１４が搬送ベルト４とグロッサベルト２０１の間に用紙を搬送する経路を作るように（図４（ａ）参照）搬送切替部２１４を配置する。このようにすることによって、ステップＳ３１で受け付けられた用紙は光沢発生部のグロッサベルト２０１へ搬送される（ステップＳ３４）。    
このとき、搬送切替部２１４を通過する前の用紙を搬送する搬送ベルト４と搬送切替部２１４を通過した用紙を搬送するグロッサベルト２０１は同じ速度で移動することが好ましい。搬送ベルト４の速度がグロッサベルト２０１の速度より速い場合、進行方向に対して用紙の後ろの部分が速く進み、用紙の前の部分が遅く進むことになり、その結果、用紙がたわんでしまうため画像に異常が発生してしまうからである。また、搬送ベルト４の速度がグロッサベルト２０１の速度より遅い場合、進行方向に対して用紙の後ろの部分が遅く進み、用紙の前の部分が速く進むことになり、用紙の両端がそれぞれ反対方向に引っ張られ破れてしまうからである。
【０１１２】
図１０に示される例では光沢フラグが「ＯＮ」であるファイルＩＤ「００１」でページＮｏ「１」、「３」、「４」にそれぞれ対応する画像が形成されている用紙が受け付けられた場合、搬送切替部２１４はステップＳ３４で記載のとおりに配置され、用紙は光沢発生部の方へ搬送される。
【０１１３】
〔予備加熱処理〕
ステップＳ３４で光沢搬送路へ用紙が搬送されると、搬送された用紙はトナーが付着されている面（記録面）がグロッサベルト２０１に接するようにグロッサベルト２０１に載置される。そして、搬送制御部２３２によって制御されたローラ２０２、ローラ２０３、ローラ２０４が回転することによってグロッサベルト２０１が移動することによって、用紙は予備加熱器２０８の方へ搬送される。グロッサベルト２０１の用紙が接している部分が予備加熱器２０８と接する位置に到達すると、予備加熱器２０８によってグロッサベルト２０１上に載置されている用紙は加熱される（ステップＳ３５）。
【０１１４】
〔デカール補正処理〕
ステップＳ３５で予備加熱器２０８によって加熱された用紙はさらにカール補正ローラ２０９の方へ搬送される。そして、搬送された用紙がカール補正ローラ２０９に到達すると、カール補正ローラ２０９は対向して設置されているローラとの間にグロッサベルト２０１および用紙を挟みこんで圧力を加えることによって、曲がっている状態の用紙を平坦な状態にカール補正する（ステップＳ３６）。
【０１１５】
〔光沢発生処理〕
ステップＳ３６でカール補正された用紙はさらにグロッサベルト２０１によって加圧ローラ２０５および加圧・加熱ローラ２０６の方へ搬送される。搬送された用紙の先端が加圧ローラ２０５および加圧・加熱ローラ２０６の位置に到達すると、加圧ローラ２０５および加圧・加熱ローラ２０６がグロッサベルト２０１とともに用紙を挟みこんで加熱しながら加圧する（ステップＳ３７）。このとき加熱制御部２３３１によって加圧・加熱ローラ２０６はトナーが溶融する温度に加熱されており、その状態で加圧ローラ２０５とともに用紙を加圧する。これによって、用紙表面に付着している溶融され、溶融された状態で平滑なグロッサベルト２０１に押し当てられるのでその表面が平滑になる。
【０１１６】
ステップＳ３７で加圧ローラ２０５におよび加圧・加熱ローラ２０６によって用紙が加熱・加圧されると、冷却制御部２３３２によって所定の温度に制御されている冷却部２０７が加熱された用紙を冷却する（ステップＳ３８）。最後に、冷却部２０７によって冷却されて硬化したトナーが付着されている用紙は光沢発生装置２の外へ排出される（ステップＳ３９）。
【０１１７】
〔搬送処理〕
また、ステップＳ３３で光沢フラグが「ＯＦＦ」であると判定されると、搬送制御部２３２は搬送ベルト４と通常搬送ベルト２１１の間に用紙を搬送する経路を作るように（図４（ｂ）参照）搬送切替部２１４を配置する。このようにすることによって、ステップＳ３１で受け付けられた用紙は通常搬送ベルト２１１の方へ搬送される（ステップＳ４０）。図１０に示される例では光沢フラグが「ＯＮ」であるファイルＩＤ「００１」でページＮｏ「２」、「５」にそれぞれ対応する画像が形成されている用紙が通常搬送ベルト２１１の方へ搬送される。そして、通常搬送ベルト２１１によって用紙は排出口２１５の方へ搬送される。そして、用紙はローラ２１３の位置で通常搬送ベルト２１１から分離されて光沢発生装置２の外へ排出される（ステップＳ３９）。
【０１１８】
このとき、搬送切替部２１４を通過する前の用紙を搬送する搬送ベルト４と搬送切替部２１４を通過した用紙を搬送する通常搬送ベルト２１１は同じ速度で移動することが好ましい。搬送ベルト４の速度が通常搬送ベルト２１１の速度より速い場合、進行方向に対して用紙の後ろの部分が速く進み、用紙の前の部分が遅く進むことになり、その結果、用紙がたわんでしまうため画像に異常が発生してしまうからである。また、搬送ベルト４の速度が通常搬送ベルト２１１の速度より遅い場合、進行方向に対して用紙の後ろの部分が遅く進み、用紙の前の部分が速く進むことになり、用紙が引っ張られ破れてしまうからである。
【０１１９】
また、グロッサベルト２０１の速度と通常搬送ベルト２１１の速度は同じであることが好ましい。複数枚の用紙のうち一の用紙がグロッサベルト２０１によって搬送され、他の用紙が通常搬送ベルト２１１によって搬送される場合、それらの用紙が光沢発生装置２によって受け付けられた順に、排出口２１５に到達し、排紙トレイ２１６に収容されるからである。光沢発生装置２で受け付けられた順と異なる順で排紙トレイ２１６に用紙が収容されることがないので、ユーザの混乱を防ぐことができる。
【０１２０】
＜＜実施形態の補足＞＞
なお、本実施形態では画像形成装置１と光沢発生装置２を別の装置として記載しているが、これらの装置が備える機能を単体の装置が含むようにしてもよい。
【０１２１】
また、本実施形態では、画像形成装置１の送受信部５２０が、情報処理装置３からネットワーク経由で送信された画像情報を受信するとしているが、画像読取部１１の読取センサ１１２がコンタクトガラス１１１に載置された原稿用紙等から取得した画像情報を受け付けるとしてもよい。このとき光沢情報は画像形成装置１の表示・操作部１８でユーザが操作した内容を入力受付部５３０が光沢情報として受け付ければよい。
【０１２２】
また、本実施形態では、情報処理装置３の画像・光沢情報記憶部３０００に記憶されている画像情報を送信部３２１が送信するとしているが、情報処理装置３が生成した画像情報、情報処理装置３が他の情報処理装置から取得した画像情報等の画像・光沢情報記憶部３０００に記憶されていない画像情報を送信部３２１が送信するとしてもよい。
【０１２３】
また、下色除去処理部５５２が下色除去処理を行わず、画像情報変換部５５１によって変換された各網点面積率Ｒｃ、Ｒｍ、Ｒｙを画像形成装置１が付着させる網点面積率として決定してもよい。
【０１２４】
また、画像形成装置１がＣ色、Ｍ色、Ｙ色、Ｋ色のトナーを用いて画像を形成するとしているが、Ｃ色、Ｍ色、Ｙ色、Ｋ色のトナーのほかにクリアトナー等の特殊トナーを用いてもよい。また、クリアトナーとは、無色透明のトナーであり、記録媒体に付着されたＣ色、Ｍ色、Ｙ色、Ｋ色のトナーのうちいずれか一以上の有色トナーに付着されるとその有色トナーを視認できるように構成された樹脂粒子である。なお、クリアトナーとは記録媒体に付着されるとその記録媒体を視認できる樹脂粒子である。クリアトナーは、たとえば、低分子量のポリエステル樹脂に二酸化ケイ素（ＳｉＯ２）や二酸化チタン（ＴｉＯ２）を外添することによって生成される。なお、クリアトナーは記録媒体または記録媒体上に付着された有色トナーを視認できる程度の量であれば、色材を含んでいてもよい。
【０１２５】
また、本実施形態では、情報処理装置３の操作入力受付部３２３によって受け付けられた情報を記憶・読出処理部３２９が光沢情報として画像・光沢情報記憶部３０００に記憶させるが、記憶・読出処理部３２９が光沢情報を記憶させずに送信部３２１が光沢情報を画像形成装置１に送信してもよい。
【０１２６】
また、本実施形態では、情報処理装置３から画像形成装置１へ光沢情報を送信し、さらに画像形成装置１から光沢発生装置２は光沢情報を送信することによって、光沢発生装置２の搬送制御部２３２は光沢情報に基づいて用紙の搬送を制御しているが、光沢情報は情報処理装置３から光沢発生装置２へ送信されるものとしてもよい。また、光沢発生装置２がユーザによって光沢情報を受け付ける光沢情報受付部を有しており、光沢情報受付部がユーザによって入力された光沢情報を受け付けるとしてもよい。なお、本実施形態では光沢発生装置２の送受信部２３１、上述の光沢情報受付部は光沢情報受付手段の一例である。
【０１２７】
また、光沢発生装置２は、画像形成装置１から搬送された用紙に形成されている画像が文字を表している文字画像か、写真を表している写真画像かを公知の技術によって判定し、判定された結果に基づいて光沢情報を生成する光沢情報生成部を有していてもよい。具体的には、光沢情報生成部は用紙に形成されている画像が文字画像である場合は、その画像に光沢を発生させないとする光沢フラグ「ＯＦＦ」を含む光沢情報を生成する。また、光沢情報生成部は用紙に形成されている画像が写真画像である場合には光沢フラグ「ＯＮ」を含む光沢情報を生成する。このように光沢発生装置２が光沢情報生成部を有する場合、光沢情報生成部が光沢情報を生成し、搬送制御部２３２は生成された光沢情報に基づいて用紙を搬送する制御を行う。なお、光沢情報生成部は光沢情報生成手段の一例である。
【０１２８】
また、本実施形態では、光沢発生装置２が光沢情報を受信し、受信された光沢情報に基づいて搬送制御部２３２が用紙の搬送を制御している。しかし、光沢フラグがＯＮの場合に画像形成装置１が用紙にその旨を示す所定の印を印刷し、光沢発生装置２が検知センサ等を備えて、その検知センサが所定の印を検知したか否かによって搬送制御部２３２が用紙の搬送を制御してもよい。
【０１２９】
また、本実施形態の光沢発生装置２のハードウェア構成図では、光沢発生部の上部に通常搬送路を設けているが、光沢発生部の下部に通常搬送ベルト２１１を設けてもよい。この場合、光沢発生部の有する加圧・加熱ローラ２０６によって発生した熱が上部に伝わり通常搬送ベルト２１１を通過している用紙に熱を与えてしまうのを防ぐことができるという効果を奏する。また、光沢発生部はグロッサベルト２０１、加圧・加熱ローラ２０６、冷却部２０７等を含んでおり、ローラ２１２、ローラ２１３、および通常搬送ベルト２１１等を含んでいる通常搬送路より重量が大きいため光沢発生部を下部に設置した方が装置全体として安定して設置される。
【０１３０】
＜＜実施形態の効果＞＞
本実施形態によれば、搬送制御部が光沢情報の光沢フラグがＯＮの場合に光沢発生部に対して用紙を搬送し、光沢情報の光沢フラグがＯＦＦの場合に通常搬送ベルトに対して前記記録媒体を搬送するため、所望の記録媒体に形成された画像にのみ光沢を発生させることができるという効果を奏する。
【０１３１】
また、予備加熱器２０８を設け、光沢発生処理を施す前に用紙の温度を均一にすることによって光沢発生処理が施された画像に光沢ムラが発生してしまうのを減少させることができる。
【０１３２】
また、カール補正ローラ２０９およびカール補正対向ローラ２１０を設け、光沢発生処理を施す前に用紙のカールを補正することによって光沢発生処理が施された画像に光沢ムラが発生してしまうのを減少させることができる。
【符号の説明】
【０１３３】
１  画像形成装置
１０  制御部
１０１１  ＣＰＵ
１０１２  ＭＥＭ−Ｐ
１０１２ａ  ＲＯＭ
１０１２ｂ  ＲＡＭ
１０１３  ＮＢ
１０１４  ＳＢ
１０１５  ＡＧＰバス
１０１６  ＡＳＩＣ
１０１７  ＭＥＭ−Ｃ
１０１８  ＨＤ
１０１９  ＨＤＤ
１０２  ネットワークＩ／Ｆ
１１  画像読取部
１２  作像部
１２０  画像形成ユニット
１２１  現像剤収容部
１２２  感光体ドラム
１２３  帯電部
１２４  露光部
１２５  現像部
１２６  除電部
１２７  清掃部
１３  給紙部
１３１  給紙トレイ
１３２  給紙ローラ
１３３  給紙経路
１３４  レジストローラ
１４  転写部
１４１  駆動ローラ
１４２  従動ローラ
１４３  中間転写ベルト
１４４  一次転写ローラ
１４５  二次転写ローラ
１４６  二次対向ローラ
１４７  テンションローラ
１５  定着部
１５１  搬送ベルト
１５２  定着ベルト
１５３  定着ローラ
１５４  定着ベルト搬送ローラ
１５５  定着対向ローラ
１５６  発熱部
１６  反転部
１６１  第一の反転用ローラ
１６２第一の反転用ベルト
１６３  第二の反転用ローラ
１６４  第二の反転用ベルト
１７  排紙部
１７１  搬送ベルト
１７２  排紙ローラ
１７３  排紙口
１８  表示・操作部
１８１  パネル表示部
１８２  操作部
２  光沢発生装置
２０  制御部
２００  挿入口
２０１  グロッサベルト
２０２  ローラ
２０３  ローラ
２０４  ローラ
２０５  加圧ローラ
２０６  加圧・加熱ローラ
２０７  冷却部
２０８  予備加熱器
２０９  カール補正ローラ
２１０  カール補正対向ローラ
２１１  通常搬送ベルト
２１２  ローラ
２１３  ローラ
２１４  搬送切替部
２１５  排出口
２１６  排紙トレイ
２２１  ＣＰＵ
２２２  ＲＯＭ
２２３  ＲＡＭ
２２４  ＨＤ
２２５  ＨＤＤ
２２６  ネットワークＩ／Ｆ
２２７  バスライン
２３１  送受信部
２３２  搬送制御部
２３３  光沢発生制御部
２３３１  加熱制御部
２３３２  冷却制御部
３  情報処理装置
３０１  ＣＰＵ
３０２  ＲＯＭ
３０３  ＲＡＭ
３０４  ＨＤ
３０５  ＨＤＤ
３０６  記憶メディア
３０７  メディアドライブ
３０８  ディスプレイＩ／Ｆ
３０９  ネットワークＩ／Ｆ
３１０  キーボードＩ／Ｆ
３１１  マウスＩ／Ｆ
３１２  ＣＤ−ＲＯＭ
３１３  ＣＤ−ＲＯＭドライブ
３１４  バスライン
３２１  送信部
３２２  表示制御部
３２３  操作入力受付部
３２９  記憶・読出処理部
３０００  画像・光沢情報記憶部
３３０  表示装置
３３１  画面３３１
３３２  表示・選択部
３３３  画像表示
３３４  光沢ボタン３３４
４  搬送ベルト
５２０  送受信部
５３０  入力受付部
５４０  読取画像受付部
５５０  画像処理部
５５１  画像情報変換部
５５２  下色除去処理部
５６０  記憶・読出処理部
５７０  記憶部
【先行技術文献】
【特許文献】
【０１３４】
【特許文献１】特開２００４−３２５９３４
【図１】
2013142794.tif 000003
【図２】
2013142794.tif 000004
【図３】
2013142794.tif 000005
【図４】
2013142794.tif 000006
【図５】
2013142794.tif 000007
【図６】
2013142794.tif 000008
【図７】
2013142794.tif 000009
【図８】
2013142794.tif 000010
【図９】
2013142794.tif 000011
【図１０】
2013142794.tif 000012
【図１１】
2013142794.tif 000013
【図１２】
2013142794.tif 000014
【図１３】
2013142794.tif 000015
【図１４】
2013142794.tif 000016
【図１５】
2013142794.tif 000017